(57)【要約】【課題】  簡便にして正確に郵便受け箱を壁面構造体に取付け固定することのできる方法を提供する。【解決手段】  郵便部の取出し扉５を背面に有する保管室部２と、この保管室部２の上部前面に連通して前方突出した投入路部３、およびこの投入路部３の前端面に投入口４を有する郵便受け箱１を壁面構造体７に取付けるに際して、投入口４が壁面構造体表面７に対して所定寸法で露出するように、板状スペーサー８を介在させて郵便受け箱１を壁面構造体７に取付ける方法であって、逆ネジタップ形成されたネジ穴１２を有する板状スペーサー８を壁面構造体７の裏面と保管室部２の前面板２１との挿入し、保管室部２の室内からネジ１５を板状スペーサー８のネジ穴１２に刺入締着させることによって、板状スペーサー８を壁面構造体７に圧接させるとともに、この板状スペーサー８に郵便受け箱１を取付け固定する。【選択図】図１
2006230478.tif 000002
【特許請求の範囲】
【請求項１】
郵便部の取出し扉を背面に有する保管室部と、この保管室部の上部前面に連通して前方突出した投入路部、およびこの投入路部の前端面に投入口を有する郵便受け箱を壁面構造体に取付けるに際して、投入口が壁面構造体表面に対して所定寸法で露出するように、板状スペーサーを介在させて郵便受け箱を壁面構造体に取付ける方法であって、逆ネジタップ形成されたネジ穴を有する板状スペーサーを壁面構造体の裏面と保管室部の前面板との間に挿入し、保管室部の室内からネジを板状スペーサーのネジ穴に刺入締着させることによって、板状スペーサーを壁面構造体に圧接させるとともに、この板状スペーサーに郵便受け箱を取付け固定することを特徴とする郵便受け箱の取付け方法。
【発明の詳細な説明】
【技術分野】
【０００１】
本願発明は、郵便物等の配達物を受取り保管するための郵便受け箱を、門柱や塀等の壁面構造体に取付けるための方法に関するものである。
【背景技術】
【０００２】
従来より、郵便物等の小型配達物を受取り保管するための郵便受け箱が、門、門袖、ブロック塀、住居壁等の壁面構造体に設置されている。このような郵便受け箱は、住居の形態やその外部環境等に応じて様々な構造のものが知られているが、例えばブロック塀等の壁面構造体の内側に、郵便物等の受入室部を有し、壁面構造体の外側に郵便物等の投入口を臨ませるようにした郵便受け箱が広く用いられている。
【０００３】
このような郵便受け箱は、ステンレス鋼板やガルバリウム鋼板等からなり、郵便物等を受入保管する保管室部と、この保管室部の上部前面に連通して前方突出した投入路部、およびこの投入路部の前端面に投入口を有しており、受入室部の背面には、郵便物等を取出すための扉を有している。
【０００４】
この郵便受け箱をブロック塀等の壁面構造体に設置する場合には、例えば、コンクリートブロックや石材等をブロック積み施工する際に、郵便受け箱の投入路部を取り囲むようにしてブロックを積み上げ、ブロック面と投入路部の外周面を密着させることより、あるいはブロック面と投入路部外周面との間をモルタル養生で固定することによって、郵便受け箱を壁面構造体に取付け固定していた。
【０００５】
ただし、施工されるブロック塀の厚みは常に一定ではないため、ブロック塀の表面に対して郵便受け箱投入口が所定寸法で露出するためには、ブロックの各種厚みに対応して、投入路部の突き出し寸法が個々に異なる郵便受け箱を準備する必要がある。
【０００６】
このような不都合を解消するため、投入路部の突き出し寸法よりも巾の狭いブロック塀に対応させることのできる郵便受け箱が提案されている。例えば、特許文献１には、垂直板部の両側に折曲げ延設した固定片を有する水平断面コ字状のスペーサーを塀面と郵便受け箱との間に介在させ、垂直板部を塀面に当接させるとともに、郵便受け箱の保管室部側面と固定片とをスライド自在にネジ締着することによって、投入路部の突き出し寸法とブロック厚にの差を吸収し、投入口の露出寸法を所定のものとすることのできる郵便受け箱が開示されている。また特許文献２には、郵便受け箱の保管室部の両側縁部に沿って形成されたスリットにスペーサーが嵌入設置され、このスペーサーの前端縁が塀面に当接することによって投入口の露出寸法を調節することのできる郵便受け箱が提案されている。
【０００７】
これら特許文献１、２に開示されている郵便受け箱は、それ専用のスペーサーを具備し、スペーサーを固定するための特別な加工等を必要とする。
【０００８】
これに対して、例えば図３に例示したように、専用スペーサーを具備しない郵便受け箱を対象として、その投入路部の突き出し寸法を塀厚に対して調節可能とするような取付け方法が採用されてもいる。この図３に例示した方法では、郵便受け箱１は、保管室部２と、この保管室部２の上部前面に連通して前方突出した投入路部３、およびこの投入路部３の前端面に投入口４を有しており、受入室部２の背面には、郵便物等を取出すための扉５を有している。また、この郵便受け箱１内には、投入路部３の底板面から保管室部２の前面および底板面を覆う中仕切板６が配設され、郵便物等が確実に保管室部２に落下するようにもなっている。このような郵便受け箱１を例えばブロック塀７に取付ける場合には、投入口４の露出部がブロック塀７の表面に対して所定寸法となるように、郵便受け箱１の投入路部３をブロック塀７に固定する。そして、ブロック塀７の裏面と保管室部２の前面板との隙間には板状スペーサー８を介在させる。ただし、郵便受け箱１の投入路部３がブロック塀７に固定されてだけでは板状スペーサー８は脱落してしまう。このため、保管室部２の内側からプラグボルト９を打ち込み、保管室部２の前面板２１と板状スペーサー８を共にブロック塀７に固着するようにしている。これによって、板状スペーサー８の脱落を防ぐとともに、郵便受け箱１をさらに強固にブロック塀７に固定するようにもしている。
【特許文献１】実開平０７−３０８６０号公報
【特許文献２】特開２０００−１７５８０３号公報
【発明の開示】
【発明が解決しようとする課題】
【０００９】
図３に例示した取付け方法では、郵便受け箱に専用スペーサーを固着させるための特別な加工等を必要としない。また、特許文献１、２の郵便受け箱がその投入路部がブロック塀等の壁面構造体によって保持固定されているたけであるのに対し、図３の方法では郵便受け箱１がプラグボルト９によってもブロック塀７に固着されているため、その取付け強度が強固なものとなっている。
【００１０】
しかしながら、図３に示した取付け方法の場合には、ブロック塀７にプラグボルト９を強固に締着するためには、予めブロック塀７に下穴を開け、この下穴にナット１０を配設しておく必要があり、作業工程が多くなるという不都合が存在した。また、郵便受け箱１の加重がプラグボルト９を介してブロック塀７の一点に加わるため、ブロック塀７が破損するという危険性を存在した。さらに、ブロック塀７へのナット１０の配設作業は郵便受け箱１をブロック塀７に取付ける前に行う必要があるが、ブロック塀７と投入路部３との間をモルタル１１等で養生固定する際の固定誤差によっては、郵便受け箱１側のプラグボルト刺入穴とブロック塀７のナット１０位置がずれてしまうと問題点も存在した。
【００１１】
そこで本願発明は、図３に例示した取付け方法における問題点や不都合を解消し、簡便にして正確に郵便受け箱を壁面構造体に取付け固定することのできる方法を提供することを課題としている。
【課題を解決するための手段】
【００１２】
本願発明の郵便受け箱の取付け方法は、  郵便部の取出し扉を背面に有する保管室部と、この保管室部の上部前面に連通して前方突出した投入路部、およびこの投入路部の前端面に投入口を有する郵便受け箱を壁面構造体に取付けるに際して、投入口が壁面構造体表面に対して所定寸法で露出するように、板状スペーサーを介在させて郵便受け箱を壁面構造体に取付ける方法であって、逆ネジタップ形成されたネジ穴を有する板状スペーサーを壁面構造体の裏面と保管室部の前面板との間に挿入し、保管室部の室内からネジを板状スペーサーのネジ穴に刺入締着させることによって、板状スペーサーを壁面構造体に圧接させるとともに、この板状スペーサーに郵便受け箱を取付け固定することを特徴とする。
【発明の効果】
【００１３】
本願発明の取付け方法では、壁面構造体の裏面と保管室部の前面との間に挿入した板状スペーサーには逆ネジタップが形成されたネジ穴が形成されており、保管室部の室内からネジを刺入回転させると、板状スペーサーは壁面構造体の裏面に押しつけられる。従って、ネジを壁面構造体の内部まで打ち込むことなく、板状スペーサーを壁面構造体に強固に圧設させることができる。壁面構造体へのナット設置作業等は必要としない。これによって、現場での作業工程が大幅に簡略化する。郵便受け箱の取付け位置の誤差も問題となることはない。さらに、板状スペーサーの全面が壁面構造体に当接するため、郵便受け箱の下方への加重はその当接面に分散し、壁面構造体が破損する危険性もない。
【発明を実施するための最良の形態】
【００１４】
本願発明は、前記のとおりの特徴を有するものであるが、以下に、発明を実施するための最良の形態を図１および図２を参照して説明する。
【００１５】
図１は、本願発明の一実施形態を例示した郵便受け箱取付け状態の側断面図であり、図２はその斜視図である。
【００１６】
図１、図２に示すように、本願発明方法で取付け対象とする郵便受け箱１は、保管室部２と、この保管室部２の上部前面に連通して前方突出した投入路部３、およびこの投入路部３の前端面に投入口４を有しており、受入室部２の背面には、郵便物等を取出すための扉５を有している。また、この郵便受け箱１内には、投入路部３の底板面から保管室部２の前面および底板面を覆う中仕切板６が配設され、郵便物等が確実に保管室部２に落下するようにもなっている。これらの郵便受け箱１およびその内部に配設する中仕切板６は、従来製品と同様にステンレス鋼板やガルバリウム鋼板等からなっている。
【００１７】
この図１、図２の例では壁面構造体としてのブロック塀７に対して郵便受け箱１を取付け固定する例を示しているが、この場合には、郵便受け箱１の投入口４の露出部がブロック塀７の表面に対して所定寸法となるように、郵便受け箱１の投入路部３をブロック塀７に固定する。この固定は、投入路部３を取り囲むようにしてブロック７１を積み上げ、ブロック７１面と投入路部３の外周面を密着させるようにする。あるいはブロック７１面と投入路部３外周面との間をモルタル１１等によって固定するようにしてもよい。また、既設のブロック塀７に郵便受け箱１を壁面構造体に取付け固定する場合には、ブロック塀７に開口部を設け、この開口部に投入路部３を挿入し、隙間にモルタル１１等を充填固定するようにしてもよい。
【００１８】
そして、このようにして郵便受け箱１をブロック塀７に保持固定させた後、ブロック塀７の裏面と保管室部２の前面板２１との隙間に、板状スペーサー８を挿入する。板状スペーサー８は郵便受け箱１と同様のステンレス鋼板やガルバリウム鋼板等の板材であり、その所定位置には、逆ネジタップが形成されたネジ穴１２が設けられている。また郵便受け箱１の保管室部２の前面板２１と中仕切板６にもそれぞれネジ刺入穴１３、１４が形成されている。ネジ穴１２やネジ刺入穴１３、１４は、例えば図２に例示したように水平位置に２箇所設けるようにしてもよく、あるいは上下２箇所、上下水平３箇所または４箇所程度としてもよい。そして、保管室部２の内側から、ネジ刺入穴１３、１４を介して、板状スペーサー８のネジ穴１２にネジ１５を回転刺入する。この時、ネジ穴１２には逆ネジタップが形成されているため、ネジ１５を回転させるごとに板状スペーサー８はブロック塀７の方向に押しつけられ、板状スペーサー８が脱落することはない。一方、保管室部２の前面板２１と中仕切板６はネジ１５によって板状スペーサー８に固定される。この時、板状スペーサー８の全面がブロック塀７の壁面に当接するため、郵便受け箱１の下方への加重モーメントＭ1がブロック塀７の一点に集中することはなく、ブロック塀７に対する板状スペーサー８の加圧によるモーメントＭ2がＭ1を打ち消す。郵便受け箱１と板状スペーサー８は、ブロック塀７に強固に取付け固定されることになる。
【００１９】
以上のとおり、板状スペーサー８の脱落防止と、この板状スペーサー８への郵便受け箱１の固定は、板状スペーサー８のネジ穴１２へのネジ１５の締着によってのみ完了する。図３に示した従来方法のように、ブロック塀７に事前にナット１０を設置するような作業は必要としない。また、従来方法におけるナット１０の設置位置と郵便受け箱１側のネジ刺入穴の位置併せを正確に行う必要はない。例えば、予め保管室部２の全面板２１に板状スペーサー８をネジ１５で仮固定し、その状態で郵便受け箱１をブロック塀７に保持固定させ、最後にネジ１５を締め付け固定して板状スペーサー８をブロック塀７に押圧させるようにすることもできる。
【００２０】
なお、図１、図２では中仕切板６をネジ１５によって固定する例を示したが、中仕切板６は図３のように最後に装着するようにしてもよい。
【００２１】
本願発明は、もちろん以上の例によって限定されるものではなく、細部については様々な態様が可能であることは言うまでもない。
【図面の簡単な説明】
【００２２】
【図１】本願発明の一実施形態を例示した郵便受け箱取付け状態の側断面図である。
【図２】図１の斜視図である。
【図３】従来の郵便受け箱取付け方法を例示した側断面図である。
【符号の説明】
【００２３】
１  郵便受け箱
２  保管室部
２１  前面板
３  投入路部
４  投入口
５  扉
６  中仕切板
７  ブロック塀
７１  ブロック
８  板状スペーサー
９  プラグボルト
１０  ナット
１１  モルタル
１２  ネジ穴
１３、１４  ネジ刺入穴
１５  ネジ
【図１】
2006230478.tif 000003
【図２】
2006230478.tif 000004
【図３】
2006230478.tif 000005